(57)【要約】【課題】  簡単な構造であって、製造が容易であり、コストも低減することができ、しかも、簡単な操作で、例えば、腕時計、携帯電話、携帯テレビ、携帯ラジオなどの小型情報端末、またはブレスレットのような装身具などにおいて、これらの装置本体とバンドとの間、ならびに、バンド連結部材同士を脱着自在に連結することができるとともに、不用意にこれらの連結部の連結が解除されて、装置本体を損傷することのないバンドの連結構造を提供する。【解決手段】  ハンドル部材をピボットピンの周面方向に回動させることにより、ハンドル部材の基端部のカム面が、ピボットピンのカム手段のカム面に当接摺動して、ピボットピンを付勢手段の付勢力に抗して、ピボットピンを内側方向に移動させ、これにより、装置本体の取り付け部からバンド連結具を取り外すことができるように構成した。【選択図】  図２
2006271812.tif 000002
【特許請求の範囲】
【請求項１】
被連結部本体に形成した取り付け部に対して、バンド部材を脱着自在に連結するためのバンド連結具を備えたバンドの連結構造であって、
前記バンド連結具が、
付勢手段によって外方向に付勢されて、装置本体の端部に形成した取り付け部の内側に設けられた取り付け用孔に嵌合することによって、バンド連結具を装置本体の取り付け部に連結するように構成したピボットピンと、
前記ピボットピンの基端部に形成され、カム面を有するカム手段と、
前記ピボットピンの周面方向に回動可能で、その基端部にピボットピンのカム手段のカム面と接触可能なカム面を有するハンドル部材とを備え、
前記ハンドル部材をピボットピンの周面方向に回動させることにより、ハンドル部材の基端部のカム面が、ピボットピンのカム手段のカム面に当接摺動して、ピボットピンを付勢手段の付勢力に抗して、ピボットピンを内側方向に移動させ、これにより、装置本体の取り付け部からバンド連結具を取り外すことができるように構成したことを特徴とするバンドの連結構造。
【請求項２】
前記ハンドル部材の基端部のカム面が、ピボットピンの周面方向に回転して、ピボットピンのカム手段のカム面に当接摺動するように構成したことを特徴とする請求項１に記載のバンドの連結構造。
【請求項３】
前記ピボットピンのカム手段が、カム突起であり、このカム突起に形成したカム面が、ハンドル部材の基端部のカム面に当接摺動するように構成したことを特徴とする請求項１から２のいずれかにに記載のバンドの連結構造。
【請求項４】
前記ピボットピンを内側方向に移動した状態で、ピボットピンを係止するストッパ手段が設けられていることを特徴とする請求項１から３のいずれかにに記載のバンドの連結構造。
【請求項５】
前記バンド連結具が、バンド連結具に形成された連結軸用孔に装着された連結軸ユニットを備え、この連結軸ユニットに、前記付勢手段と、ピボットピンと、ピボットピンの基端部に形成されたカム手段と、ハンドル部材とを備えることを特徴とする請求項１から４のいずれかに記載のバンドの連結構造。
【請求項６】
前記連結軸ユニットが、
前記ピボットピンを、その内側に摺動自在に収容する内筒部材と、
前記内筒部材の外周に、内筒部材が回転可能なように装着された外筒部材とを備え、
前記内筒部材に、前記ハンドル部材が形成されるとともに、前記外筒部材に形成されたハンドル用開口部を介して、前記ハンドル部材が回動自在に突出されており、
前記内筒部材にピボットピンのカム手段のカム面に当接摺動するカム面が形成されていることを特徴とする請求項５に記載のバンドの連結構造。
【請求項７】
前記外筒部材には、ピボットピンのカム手段をピボット軸方向に案内する案内部が形成されていることを特徴とする請求項５から６のいずれかに記載のバンドの連結構造。
【請求項８】
前記外筒部材に形成された案内部が、前記ピボットピンのカム手段のカム突起を突出させて案内するように形成された案内開口であることを特徴とする請求項７に記載のバンドの連結構造。
【請求項９】
前記外筒部材に形成された案内部が、前記ピボットピンのカム手段のカム突起を案内す
る内側に形成された案内溝であることを特徴とする請求項７に記載のバンドの連結構造。
【請求項１０】
前記連結軸ユニットを、バンド連結具に形成された連結軸用孔に装着した際に、連結軸ユニットの回転を防止する回転防止手段が設けられていることを特徴とする請求項５から９のいずれかに記載のバンドの連結構造。
【請求項１１】
前記回転防止手段が、連結軸ユニットとバンド連結具に形成された連結軸用孔とが相互に相手側の回転を防止する回転干渉手段から構成されていることを特徴とする請求項１０に記載のバンドの連結構造。
【請求項１２】
前記回転干渉手段が、接着、ロー付け、溶接、かしめ加工の少なくとも一つの回転干渉手段から構成されていることを特徴とする請求項１１に記載のバンドの連結構造。
【請求項１３】
前記回転防止手段が、連結軸ユニットとバンド連結具に形成された連結軸用孔とが相互に相手側の回転を防止する異形手段から構成されていることを特徴とする請求項１０に記載のバンドの連結構造。
【請求項１４】
前記異形手段が、バンド連結具に形成された連結軸用孔に形成された平坦面と、連結軸ユニットに形成された平坦面との係合により構成されていることを特徴とする請求項１３に記載のバンドの連結構造。
【請求項１５】
前記異形手段が、凸部と凹部との係合により構成されていることを特徴とする請求項１３に記載のバンドの連結構造。
【請求項１６】
前記異形手段が、バンド連結具に形成された連結軸用孔に形成された凹部と、連結軸ユニットに形成された凸部との係合により構成されていることを特徴とする請求項１５に記載のバンドの連結構造。
【請求項１７】
前記異形手段が、バンド連結具に形成された連結軸用孔に形成された凸部と、連結軸ユニットに形成された凹部との係合により構成されていることを特徴とする請求項１５から１６のいずれかに記載のバンドの連結構造。
【請求項１８】
前記バンド連結具に形成された連結軸用孔には、前記ハンドル部材が回動するための回動用開口部が形成されていることを特徴とする請求項５から１７のいずれかに記載のバンドの連結構造。
【請求項１９】
前記バンド連結具に形成された連結軸用孔に形成された回動用開口部の一端に、ハンドル部材がピボットピンが外方向に突出した位置で当接するするように形成されていることを特徴とする請求項１８に記載のバンドの連結構造。
【請求項２０】
前記バンド連結具に形成された連結軸用孔には、前記ハンドル部材を挿入するための挿入用スリットが形成されていることを特徴とする請求項５から１９のいずれかに記載のバンドの連結構造。
【請求項２１】
前記ハンドル部材が、被連結部本体に形成した取り付け部にバンド連結具を連結した際に、内側に位置するように設けられていることを特徴とする請求項１から２０のいずれかに記載のバンドの連結構造。
【請求項２２】
前記バンド連結具に、被連結部本体に形成した取り付け部に当接してバンド連結部の回動を防止する回動防止手段が設けられていることを特徴とする請求項１から２１のいずれ
かに記載のバンドの連結構造。
【請求項２３】
前記バンド連結具に、付勢手段で外方向に付勢されたピボットピンが、一対もうけられていることを特徴とする請求項１から２２のいずれかに記載のバンドの連結構造。
【請求項２４】
前記内筒部材と外筒部材とが、平板部材を巻き加工することによって形成されていることを特徴とする請求項６から２３のいずれかに記載のバンドの連結構造。
【請求項２５】
前記被連結部本体が、請求項１から２３のいずれかに記載のバンド連結具であって、
バンド連結具同士を相互に連結するように構成したことを特徴とする請求項１から２４のいずれかに記載のバンドの連結構造。
【請求項２６】
前記バンド連結具には、ピボットピンが設けられたバンド連結具本体と反対側の端部に、別のバンド連結具のピボットピンを脱着回転自在に挿着する取り付け用孔が形成されていることを特徴とする請求項２５に記載のバンドの連結構造。
【請求項２７】
請求項１〜２６のいずれかに記載のバンドの連結構造を備えた腕時計バンド。
【請求項２８】
請求項１〜２６のいずれかに記載のバンドの連結構造を備えた腕時計。
【発明の詳細な説明】
【技術分野】
【０００１】
本発明は、例えば、腕時計、携帯電話、携帯テレビ、携帯ラジオなどの小型情報端末などにおいて、これらの装置本体とバンドとの間、ならびに、バンド連結部材同士を連結するためのバンドの連結構造に関する。
【０００２】
さらに、本発明は、例えば、ブレスレットのような装身具における、装飾本体とバンドとの間、ならびにバンド連結部材同士を連結するためのバンド連結構造に関する。
【背景技術】
【０００３】
従来、例えば、腕時計などにおいては、ＴＰＯ、ファッション性、ならびに、好みに応じてバンドを交換したい場合に、自由にバンドを交換することができるようにするために、腕時計本体の端部に形成した取り付け部に対して、バンド部材を脱着自在に連結するためのバンド連結具（いわゆる「先かん」と呼ばれている）が、各種提案されている。
【０００４】
例えば、特許文献１（実開昭５３−９１６７１号公報）では、図１６に示したようなバンドの連結構造１００が提案されている。
この特許文献１のバンドの連結構造１００では、時計本体１０２の取り付け部１０４に設けた取り付け用孔１０６、１０６に嵌合するように、略長楕円形形状のロックカム１０８によって、外方向に付勢されたピボットピン１１０、１１０を備えている。
【０００５】
そして、このロックカム１０８を、図１６の矢印で示したように、ロックカム１０８に形成したスリット１０８ａにドライバーなどの先端を係止して、回転することによって、コイルバネ１１２、１１２によって内側に付勢されているピボットピン１１０、１１０が、コイルバネ１１２、１１２の付勢力によって内側に移動することによって、ピボットピン１１０、１１０と取り付け用孔１０６、１０６との嵌合が解除されて、バンドの連結具１１４を時計本体１０２の取り付け部１０４から取り外せるようになっている。
【０００６】
また、特許文献２（特表２０００−５０５６６４号公報）においては、図１７に示したようなバンドの連結構造２００が提案されている。
この特許文献２のバンドの連結構造２００では、時計本体２０２の取り付け部２０４に設けた取り付け用孔２０６、２０６に嵌合するように、押しボタン部材２０８の基端部２０８ａのカム面２０８ｂによって、外方向に付勢されたピボットピン２１０、２１０を備えている。
【０００７】
そして、この押しボタン部材２０８を、図１７の矢印で示したように、指などで押すことによって、押しボタン部材２０８をコイルバネ２０１に抗して押し込めることによって、コイルバネ２１２、２１２によって内側に付勢されているピボットピン２１０、２１０が、押しボタン部材２０８の基端部２０８ａのカム面２０８ｂに沿って、コイルバネ２１２、２１２の付勢力によって内側に移動することによって、ピボットピン２１０、２１０と取り付け用孔２０６、２０６との嵌合が解除されて、バンドの連結具２１４を時計本体２０２の取り付け部２０４から取り外せるようになっている。
【０００８】
さらに、特許文献３（特開２００１−２７２４７９号公報）では、図１８に示したようなバンドの連結構造３００が提案されている。
この特許文献３のバンドの連結構造３００では、時計本体３０２の取り付け部３０４に設けたピボットピン用溝部３０６に、バンド連結具３０８に枢着したピボットピン３１０を装着している。
【０００９】
そして、ピボットピン３１０と連結され、コイルバネ３１２で回動方向に付勢されたハンドル部材３１４の基端部の係止部３１６を、時計本体３０２の取り付け部３０４のピボットピン用溝部３０６に設けたストッパ突出部３１８に係止することによって、バンド連結具３０８を時計本体３０２の取り付け部３０４に固定するように構成されている。
【特許文献１】実開昭５３−９１６７１号公報
【特許文献２】特表２０００−５０５６６４号公報
【特許文献３】特開２００１−２７２４７９号公報
【発明の開示】
【発明が解決しようとする課題】
【００１０】
しかしながら、特許文献１に記載の従来のバンドの連結構造１００では、バンドの連結具１１４を時計本体１０２の取り付け部１０４から取り外すには、ロックカム１０８に形成したスリット１０８ａにドライバーなどの先端を係止して、回転することによって、バンドの連結具１１４を時計本体１０２の取り付け部１０４から取り外さなければならず、別途ドライバーなどを用意して交換作業を行わなければならす、非常に不便である。
【００１１】
また、特許文献２のバンドの連結構造２００では、押しボタン部材２０８が誤って押されることがあり、バンドの連結具２１４と時計本体２０２の取り付け部２０４との連結が解除されて、バンド部材が脱落してしまい、腕時計が腕から落下して損傷してしまうことになるおそれがある。
【００１２】
さらに、特許文献３のバンドの連結構造３００では、図１７に示したように、バンド連結具３０８を時計本体３０２の取り付け部３０４に固定した状態で、ハンドル部材３１４とピボットピン用溝部３０６との間に間隙３２０があり、ハンドル部材３１４が移動し易く、バンド連結具３０８と時計本体３０２の取り付け部３０４との連結が解除されて、バンド部材が脱落してしまい、腕時計が腕から落下して損傷してしまうことになるおそれがある。
【００１３】
本発明は、このような現状に鑑み、簡単な構造であって、製造が容易であり、コストも低減することができ、しかも、簡単な操作で、例えば、腕時計、携帯電話、携帯テレビ、携帯ラジオなどの小型情報端末などにおいて、これらの装置本体とバンドとの間、ならびに、バンド連結部材同士を脱着自在に連結することができるとともに、不用意にこれらの連結部の連結が解除されて、装置本体を損傷することのないバンドの連結構造を提供することを目的とする。
【課題を解決するための手段】
【００１４】
本発明は、前述したような従来技術における課題及び目的を達成するために発明されたものであって、本発明のバンドの連結構造は、
被連結部本体に形成した取り付け部に対して、バンド部材を脱着自在に連結するためのバンド連結具を備えたバンドの連結構造であって、
前記バンド連結具が、
付勢手段によって外方向に付勢されて、装置本体の端部に形成した取り付け部の内側に設けられた取り付け用孔に嵌合することによって、バンド連結具を装置本体の取り付け部に連結するように構成したピボットピンと、
前記ピボットピンの基端部に形成され、カム面を有するカム手段と、
前記ピボットピンの周面方向に回動可能で、その基端部にピボットピンのカム手段のカム面と接触可能なカム面を有するハンドル部材とを備え、
前記ハンドル部材をピボットピンの周面方向に回動させることにより、ハンドル部材の基端部のカム面が、ピボットピンのカム手段のカム面に当接摺動して、ピボットピンを付
勢手段の付勢力に抗して、ピボットピンを内側方向に移動させ、これにより、装置本体の取り付け部からバンド連結具を取り外すことができるように構成したことを特徴とする。
【００１５】
このように構成することによって、ハンドル部材をピボットピンの周面方向に回動させるだけで、ハンドル部材の基端部のカム面が、ピボットピンのカム手段のカム面に当接摺動して、ピボットピンを付勢手段の付勢力に抗して、ピボットピンを内側方向に移動させ、これにより、装置本体の取り付け部からバンド連結具を取り外すことができる。
【００１６】
従って、簡単な構造であって、製造が容易であり、コストも低減することができ、しかも、簡単な操作で、例えば、腕時計、携帯電話、携帯テレビ、携帯ラジオなどの小型情報端末などにおいて、これらの装置本体とバンドとの間、ならびに、バンド連結部材同士を脱着自在に連結することができるとともに、不用意にこれらの連結部の連結が解除されて、装置本体を損傷することがない。
【００１７】
また、本発明のバンドの連結構造は、前記ハンドル部材の基端部のカム面が、ピボットピンの周面方向に回転して、ピボットピンのカム手段のカム面に当接摺動するように構成したことを特徴とする。
【００１８】
このように構成することによって、ハンドル部材をピボットピンの周面方向に回動させるだけで、ハンドル部材の基端部のカム面が、ピボットピンの周面方向に回転して、ピボットピンのカム手段のカム面に当接摺動するので、円滑にハンドルの操作が行えるとともに、ピボットピンの出没を確実に行え、装置本体とバンドとの間、ならびに、バンド連結部材同士を脱着自在に連結することができる。
【００１９】
また、本発明のバンドの連結構造は、前記ピボットピンのカム手段が、カム突起であり、このカム突起に形成したカム面が、ハンドル部材の基端部のカム面に当接摺動するように構成したことを特徴とする。
【００２０】
このように構成することによって、ハンドル部材をピボットピンの周面方向に回動させるだけで、カム突起に形成したカム面が、ハンドル部材の基端部のカム面に当接摺動するので、円滑にハンドルの操作が行えるとともに、カム突起に形成したカム面とハンドル部材の基端部のカム面との当接が外れることがないので、ピボットピンの出没を確実に行え、装置本体とバンドとの間、ならびに、バンド連結部材同士を脱着自在に連結することができる。
【００２１】
また、本発明のバンドの連結構造は、前記ピボットピンを内側方向に移動した状態で、ピボットピンを係止するストッパ手段が設けられていることを特徴とする。
このように構成することによって、ピボットピンが、バンド連結具に形成された連結軸用孔内に収納された状態となった場合に、ピボットピンを係止するストッパ手段が設けられているので、指をハンドル部材から離して、取り付け操作が行えるので便利である。
【００２２】
また、本発明のバンドの連結構造は、前記バンド連結具が、バンド連結具に形成された連結軸用孔に装着された連結軸ユニットを備え、この連結軸ユニットに、前記付勢手段と、ピボットピンと、ピボットピンの基端部に形成されたカム手段と、ハンドル部材とを備えることを特徴とする。
【００２３】
このように構成することによって、連結軸ユニットをバンド連結具に形成された連結軸用孔に装着するだけで良く、簡単な構造であって、製造が容易であり、コストも低減することができる。
【００２４】
また、本発明のバンドの連結構造は、
前記連結軸ユニットが、
前記ピボットピンを、その内側に摺動自在に収容する内筒部材と、
前記内筒部材の外周に、内筒部材が回転可能なように装着された外筒部材とを備え、
前記内筒部材に、前記ハンドル部材が形成されるとともに、前記外筒部材に形成されたハンドル用開口部を介して、前記ハンドル部材が回動自在に突出されており、
前記内筒部材にピボットピンのカム手段のカム面に当接摺動するカム面が形成されていることを特徴とする。
【００２５】
このように構成することによって、内筒部材と外筒部材とから構成するだけで良いので、例えば、これらの内筒部材と外筒部材とを平板部材でパンチング加工、切り抜きで製作して、巻き加工を行うだけで良いので、簡単な構造であって、製造が容易であり、コストも低減することができる。
【００２６】
また、本発明のバンドの連結構造は、前記外筒部材には、ピボットピンのカム手段をピボット軸方向に案内する案内部が形成されていることを特徴とする。
このように構成することによって、ピボットピンのカム手段が、案内部によってピボット軸方向に案内されるので、ピボットピンの出没を確実に行え、装置本体とバンドとの間、ならびに、バンド連結部材同士を脱着自在に連結することができる。
【００２７】
また、本発明のバンドの連結構造は、前記外筒部材に形成された案内部が、前記ピボットピンのカム手段のカム突起を突出させて案内するように形成された案内開口であることを特徴とする。
【００２８】
このように構成することによって、ピボットピンのカム突起が、案内開口によってピボット軸方向に案内されるので、ピボットピンの出没を確実に行え、装置本体とバンドとの間、ならびに、バンド連結部材同士を脱着自在に連結することができる。
【００２９】
また、本発明のバンドの連結構造は、前記外筒部材に形成された案内部が、前記ピボットピンのカム手段のカム突起を案内する内側に形成された案内溝であることを特徴とする。
【００３０】
このように構成することによって、ピボットピンのカム突起が、案内溝によってピボット軸方向に案内されるので、ピボットピンの出没を確実に行え、装置本体とバンドとの間、ならびに、バンド連結部材同士を脱着自在に連結することができる。
【００３１】
また、本発明のバンドの連結構造は、前記連結軸ユニットを、バンド連結具に形成された連結軸用孔に装着した際に、連結軸ユニットの回転を防止する回転防止手段が設けられていることを特徴とする。
【００３２】
このように構成することによって、連結軸ユニットの回転を防止する回転防止手段によって、ハンドル部材をピボットピンの周面方向に回動させた際に、外筒部材が回転しないので、内筒部材に設けたハンドル部材の基端部のカム面だけが回転して、カム手段に形成したカム面に当接摺動するので、円滑にハンドルの操作が行えるので、ピボットピンの出没を確実に行え、装置本体とバンドとの間、ならびに、バンド連結部材同士を脱着自在に連結することができる。
【００３３】
また、本発明のバンドの連結構造は、前記回転防止手段が、連結軸ユニットとバンド連結具に形成された連結軸用孔とが相互に相手側の回転を防止する回転干渉手段から構成されていることを特徴とする。
【００３４】
このように構成することによって、連結軸ユニットとバンド連結具に形成された連結軸用孔とが相互に相手側の回転を防止する回転干渉手段によって、ハンドル部材をピボットピンの周面方向に回動させた際に、外筒部材が回転しないので、内筒部材に設けたハンドル部材の基端部のカム面だけが回転して、カム手段に形成したカム面に当接摺動するので、円滑にハンドルの操作が行えるので、ピボットピンの出没を確実に行え、装置本体とバンドとの間、ならびに、バンド連結部材同士を脱着自在に連結することができる。
【００３５】
また、本発明のバンドの連結構造は、前記回転干渉手段が、接着、ロー付け、溶接、かしめ加工の少なくとも一つの回転干渉手段から構成されていることを特徴とする。
このように構成することによって、接着、ロー付け、溶接、かしめ加工の少なくとも一つの回転干渉手段によって、ハンドル部材をピボットピンの周面方向に回動させた際に、外筒部材が回転しないので、内筒部材に設けたハンドル部材の基端部のカム面だけが回転して、カム手段に形成したカム面に当接摺動するので、円滑にハンドルの操作が行えるので、ピボットピンの出没を確実に行え、装置本体とバンドとの間、ならびに、バンド連結部材同士を脱着自在に連結することができる。
【００３６】
また、本発明のバンドの連結構造は、前記回転防止手段が、連結軸ユニットとバンド連結具に形成された連結軸用孔とが相互に相手側の回転を防止する異形手段から構成されていることを特徴とする。
【００３７】
このように構成することによって、連結軸ユニットとバンド連結具に形成された連結軸用孔とが相互に相手側の回転を防止する異形手段によって、ハンドル部材をピボットピンの周面方向に回動させた際に、外筒部材が回転しないので、内筒部材に設けたハンドル部材の基端部のカム面だけが回転して、カム手段に形成したカム面に当接摺動するので、円滑にハンドルの操作が行えるので、ピボットピンの出没を確実に行え、装置本体とバンドとの間、ならびに、バンド連結部材同士を脱着自在に連結することができる。
【００３８】
また、本発明のバンドの連結構造は、前記異形手段が、バンド連結具に形成された連結軸用孔に形成された平坦面と、連結軸ユニットに形成された平坦面との係合により構成されていることを特徴とする。
【００３９】
このように構成することによって、バンド連結具に形成された連結軸用孔に形成された平坦面と、連結軸ユニットに形成された平坦面との係合からなる異形手段によって、ハンドル部材をピボットピンの周面方向に回動させた際に、外筒部材が回転しないので、内筒部材に設けたハンドル部材の基端部のカム面だけが回転して、カム手段に形成したカム面に当接摺動するので、円滑にハンドルの操作が行えるので、ピボットピンの出没を確実に行え、装置本体とバンドとの間、ならびに、バンド連結部材同士を脱着自在に連結することができる。
【００４０】
また、本発明のバンドの連結構造は、前記異形手段が、凸部と凹部との係合により構成されていることを特徴とする。
このように構成することによって、凸部と凹部との係合により構成されている異形手段によって、ハンドル部材をピボットピンの周面方向に回動させた際に、外筒部材が回転しないので、内筒部材に設けたハンドル部材の基端部のカム面だけが回転して、カム手段に形成したカム面に当接摺動するので、円滑にハンドルの操作が行えるので、ピボットピンの出没を確実に行え、装置本体とバンドとの間、ならびに、バンド連結部材同士を脱着自在に連結することができる。
【００４１】
また、本発明のバンドの連結構造は、前記異形手段が、バンド連結具に形成された連結
軸用孔に形成された凹部と、連結軸ユニットに形成された凸部との係合により構成されていることを特徴とする。
【００４２】
このように構成することによって、バンド連結具に形成された連結軸用孔に形成された凹部と、連結軸ユニットに形成された凸部との係合により構成されている異形手段によって、ハンドル部材をピボットピンの周面方向に回動させた際に、外筒部材が回転しないので、内筒部材に設けたハンドル部材の基端部のカム面だけが回転して、カム手段に形成したカム面に当接摺動するので、円滑にハンドルの操作が行えるので、ピボットピンの出没を確実に行え、装置本体とバンドとの間、ならびに、バンド連結部材同士を脱着自在に連結することができる。
【００４３】
また、本発明のバンドの連結構造は、前記異形手段が、バンド連結具に形成された連結軸用孔に形成された凸部と、連結軸ユニットに形成された凹部との係合により構成されていることを特徴とする。
【００４４】
このように構成することによって、バンド連結具に形成された連結軸用孔に形成された凸部と、連結軸ユニットに形成された凹部との係合により構成されている異形手段によって、ハンドル部材をピボットピンの周面方向に回動させた際に、外筒部材が回転しないので、内筒部材に設けたハンドル部材の基端部のカム面だけが回転して、カム手段に形成したカム面に当接摺動するので、円滑にハンドルの操作が行えるので、ピボットピンの出没を確実に行え、装置本体とバンドとの間、ならびに、バンド連結部材同士を脱着自在に連結することができる。
【００４５】
また、本発明のバンドの連結構造は、前記バンド連結具に形成された連結軸用孔には、前記ハンドル部材が回動するための回動用開口部が形成されていることを特徴とする。
このように構成することによって、回動用開口部を介して、ハンドル部材をピボットピンの周面方向に回動させることができるので、円滑にハンドルの操作が行えるとともに、カム手段に形成したカム面が、ハンドル部材の基端部のカム面に当接摺動して、ピボットピンの出没を確実に行え、装置本体とバンドとの間、ならびに、バンド連結部材同士を脱着自在に連結することができる。
【００４６】
また、本発明のバンドの連結構造は、前記バンド連結具に形成された連結軸用孔に形成された回動用開口部の一端に、ハンドル部材がピボットピンが外方向に突出した位置で当接するするように形成されていることを特徴とする。
【００４７】
このように構成することによって、ハンドル部材と回動用開口部との間に間隙が存在しないので、ハンドル部材が移動し難く、バンド連結具の連結が解除されて、バンド部材が脱落してしまい、装置が腕などから落下して損傷してしまうことがない。
【００４８】
また、本発明のバンドの連結構造は、前記バンド連結具に形成された連結軸用孔には、前記ハンドル部材を挿入するための挿入用スリットが形成されていることを特徴とする。
このように構成することによって、バンド連結具の連結軸用孔に、挿入用スリットを介してハンドル部材を挿入し易く、これにより、連結軸ユニットをバンド連結具の連結軸用孔に容易に装着することができる。
【００４９】
また、本発明のバンドの連結構造は、前記ハンドル部材が、被連結部本体に形成した取り付け部にバンド連結具を連結した際に、内側に位置するように設けられていることを特徴とする。
【００５０】
このように被連結部本体に形成した取り付け部にバンド連結具を連結した際に、ハンド
ル部材が、内側、例えば、手首側に位置するので、ハンドル部材、回動用開口部が外部から見えず、デザイン的にも美麗である。
【００５１】
また、本発明のバンドの連結構造は、前記バンド連結具に、被連結部本体に形成した取り付け部に当接してバンド連結部の回動を防止する回動防止手段が設けられていることを特徴とする。
【００５２】
このように構成することによって、回動防止手段によって、例えば、腕時計本体などの被連結部本体に形成した取り付け部に当接してバンド連結部の回動を防止することができるので、例えば、手首などに装着した際に、ガタツキなく、装着感が良好になる。
【００５３】
また、本発明のバンドの連結構造は、前記バンド連結具に、付勢手段で外方向に付勢されたピボットピンが、一対もうけられていることを特徴とする。
このようにピボットピンが、一対設けられることによって、バンド連結具の装着が容易になるとともに、バンド連結具の連結が確実に行える。
【００５４】
また、本発明のバンドの連結構造は、前記内筒部材と外筒部材とが、平板部材を巻き加工することによって形成されていることを特徴とする。
このように構成することによって、例えば、これらの内筒部材と外筒部材とを平板部材でパンチング加工、切り抜きで製作して、巻き加工を行うだけで良いので、簡単な構造であって、製造が容易であり、コストも低減することができる。
【００５５】
また、本発明のバンドの連結構造は、前述のいずれかに記載のバンド連結具であって、
バンド連結具同士を相互に連結するように構成したことを特徴とする。
また、本発明のバンドの連結構造は、前記バンド連結具には、ピボットピンが設けられたバンド連結具本体と反対側の端部に、別のバンド連結具のピボットピンを脱着回転自在に挿着する取り付け用孔が形成されていることを特徴とする。
【００５６】
このように構成することによって、複数個のバンド連結具２２同士を相互に連結することができるようになっている。また、このような構成としては、例えば、腕時計のバンドの駒部材などに適用することが可能であり、脱着操作が簡単で、しかも、不用意に脱落することがなく、極めて便利である。
【発明の効果】
【００５７】
本発明によれば、ハンドル部材をピボットピンの周面方向に回動させるだけで、ハンドル部材の基端部のカム面が、ピボットピンのカム手段のカム面に当接摺動して、ピボットピンを付勢手段の付勢力に抗して、ピボットピンを内側方向に移動させ、これにより、装置本体の取り付け部からバンド連結具を取り外すことができる。
【００５８】
従って、簡単な構造であって、製造が容易であり、コストも低減することができ、しかも、簡単な操作で、例えば、腕時計、携帯電話、携帯テレビ、携帯ラジオなどの小型情報端末などにおいて、これらの装置本体とバンドとの間、ならびに、バンド連結部材同士を脱着自在に連結することができるとともに、不用意にこれらの連結部の連結が解除されて、装置本体を損傷することがない。
【発明を実施するための最良の形態】
【００５９】
以下、本発明の実施の形態（実施例）を図面に基づいてより詳細に説明する。
図１は、本発明のバンドの連結構造を腕時計に適用した実施例を示す時計の内側から見た斜視図、図２は、図１のバンドの連結構造の連結具を腕時計の取り付け部に取り付ける前の斜視図、図３は、図１のバンドの連結構造の連結具の連結軸ユニットを装着する状態
を説明する斜視図である。
【００６０】
図１〜図３において、１０は全体で本発明のバンドの連結構造を示している。
図１および図２に示したように、本発明のバンドの連結構造１０は、被連結部本体を構成する腕時計本体１２に、二点鎖線で示したようなバンド部材１４を脱着自在に連結するためのものである。
【００６１】
腕時計本体１２には、その端部に形成した取り付け部１６を備えており、この取り付け部１６には、平行に突設する一対の取り付け支持部１８、１８が形成されている。取り付け支持部１８には、その内側に取り付け用孔２０、２０が形成されている。
【００６２】
一方、図２に示したように、本発明のバンドの連結構造１０は、腕時計本体１２の取り付け部１６の形状と相補的な形状を有するバンド連結具（いわゆる「先かん」と呼ばれる）２２を備えている。
【００６３】
すなわち、図１および図２に示したように、バンド連結具２２は、腕時計本体１２の取り付け部１６の一対の取り付け支持部１８、１８の間に嵌合するバンド連結具本体２４と、このバンド連結具本体２４の端部に形成したバンド枢着部２６とを備えている。
【００６４】
そして、このバンド枢着部２６に形成した取り付けピン用孔部２８に、図示しない取り付けピンを介して、バンド部材１４が回動可能に装着されている。
一方、バンド連結具本体２４には、図２および図１２に示したように、腕時計本体１２の端面３０に当接する当接面３２と、腕時計本体１２の裏面３４に当接するフランジ部３６が形成されており、これらの当接面３２とフランジ部３６によって、バンド連結具本体２４が、腕時計本体１２に対して回動しないように構成されている。
【００６５】
また、バンド連結具２２には、図１〜図３に示したように、連結軸用孔３８が形成されている。この連結軸用孔３８には、この連結軸用孔３８に連結軸ユニット４０が装着されるようになっている。
【００６６】
なお、この連結軸用孔３８には、その腕時計本体１２の裏面３４側に、ハンドル部材が回動するための回動用開口部４２が形成されているとともに、ハンドル部材６６を挿入するための挿入用スリット４４が形成されている。
【００６７】
一方、連結軸ユニット４０は、図４〜図９に示したような構造となっている。
すなわち、連結軸ユニット４０は、図４〜図６に示したように、内筒部材４６を備えている。この内筒部材４６には、図６（ａ）に示したように、カム用開口部４８が形成されている。そして、この内筒部材４６内側には、一対のピボットピン５０が、図６（ｂ）に示したように、その基端部５２のコイルバネ装着軸部５４の間に、コイルバネ５６を介装した状態で、外方向に付勢された状態で、ピボットピン５０が摺動自在に装着されている。
【００６８】
また、図６および図７に示したように、ピボットピン５０、５０には、その基端部５２、５２の表面に、カム突起５３、５３が形成されている。そして、これらのカム突起５３、５３が、カム用開口部４８から外側に突出するようになっている。
【００６９】
これらのカム突起５３、５３には、外側に傾斜したカム斜面５８、５８が形成されている、そして、内筒部材４６のカム用開口部４８には、これらのカム斜面５８、５８に相補的なカム斜面６０、６０が形成されている。
【００７０】
また、カム用開口部４８には、後述するように、ピボットピン５０、５０が、内側に移動した際に、これらのカム突起５３、５３のストッパ面６２、６２と当接して、カム突起５３、５３が外方向にコイルバネ５６に付勢力によって移動しないようにするためのストッパ面６４、６４が形成されている。
【００７１】
なお、この場合、好ましくは、ストッパ面は６２、６２は、コイルバネ５６の付勢力によって移動するカム突起５３、５３の移動方向と直交する方向に沿って形成されるの望ましい。すなわち、ストッパ面は６２、６２は、ピボットピン５０、５０の周面方向に沿って形成されているのが望ましい。
【００７２】
一方、内筒部材４６のカム用開口部４８と略対向する側には、肉厚になったハンドル部材６６が形成されている。
このように構成される内筒部材４６は、図６（ａ）に示したように、ピボットピン５０、５０がコイルバネ５６を介装した状態で、外方向に付勢された状態で、しかも、カム突起５３、５３カム用開口部４８から外側に突出するよう状態で、平板状態の内筒部材４６を巻き加工することによって、図７に示したような筒状に成形することで構成される。
【００７３】
そして、連結軸ユニット４０は、さらに、図３〜図５、図８に示したように、内筒部材４６の外周に、内筒部材４６が回転可能なように装着された外筒部材６８を備えている。この外筒部材６８には、内筒部材４６のハンドル部材６６が回動自在に突出するためのハンドル用開口部７０が形成されている。
【００７４】
また、図４、図８に示したように、外筒部材６８には、ハンドル用開口部７０と略対向する側に、ピボットピン５０、５０のカム突起５３、５３を突出させて、軸方向に案内するための軸方向に延びた案内開口７２が形成されている。
【００７５】
なお、この案内開口７２の代わりに、図１１に示したように、ピボットピン５０、５０のカム突起５３、５３を案内するように、外筒部材６８の内側に形成された案内溝７４を形成しても良い。
【００７６】
そして、このように構成される外筒部材６８は、図８に示したように、ハンドル用開口部７０から、内筒部材４６のハンドル部材６６を突出させた状態で、しかも、案内開口７２から、ピボットピン５０、５０のカム突起５３、５３を突出させた状態となるように内筒部材４６を配置して、平板状態の外筒部材６８を巻き加工することによって、図４、図５に示したような筒状に成形することで構成される。
【００７７】
そして、このように構成した連結軸ユニット４０は、図３に示したように、バンド連結具２２の連結軸用孔３８に、挿入用スリット４４を介してハンドル部材６６を挿入して、ハンドル部材が回動するための回動用開口部４２にハンドル部材６６が位置するとともに、コイルバネ５６によって、外方向に付勢されたピボットピン５０、５０が、連結軸用孔３８から外方向に突出した状態となるように装着される。
【００７８】
そして、この状態では、図２に示したように、ハンドル部材６６が回動用開口部４２の外方向の端部４２ａに当接した状態となっている。
また、後述するように、ハンドル部材６６を回動用開口部４２の内側方向の端部４２ｂ方向に回動した際に、連結軸ユニット４０が、バンド連結具２２の連結軸用孔３８内で回転しないように、回転防止手段が設けられている。
【００７９】
この回転防止手段としては、連結軸ユニット４０とバンド連結具２２に形成された連結軸用孔３８とが相互に相手側の回転を防止する回転干渉手段から構成することができる。
例えば、回転干渉手段が、接着、ロー付け、溶接、かしめ加工の少なくとも一つの回転干渉手段から構成することができる。
【００８０】
図１２は、このうち、かしめ加工の例を示しており、バンド連結具本体２４にスリット２４ａを形成して、バンド連結具本体２４をかしめることによって、連結軸ユニット４０が、バンド連結具２２の連結軸用孔３８内で回転しないように構成している。
【００８１】
しかしながら、この回転防止手段が、連結軸ユニット４０とバンド連結具２２に形成された連結軸用孔３８とが相互に相手側の回転を防止する異形手段から構成されていても良い。
【００８２】
このような異形手段としては、図１３に示したように、バンド連結具２２に形成された連結軸用孔３８に形成された平坦面３８ａと、連結軸ユニット４０に形成された平坦面４０ａとの係合により構成しても良い。
【００８３】
さらに、このような異形手段としては、凸部と凹部との係合、例えば、図１４に示したように、バンド連結具２２に形成された連結軸用孔３８に形成された凹部３８ｂと、連結軸ユニット４０に形成された凸部４０ｂとの係合により構成しても良い。また、図示しないが、これとは逆に、バンド連結具２２に形成された連結軸用孔３８に形成された凸部と、連結軸ユニット４０に形成された凹部との係合により構成しても良い。
【００８４】
このように構成されるバンド連結具２２を、腕時計本体１２の取り付け部１６の一対の取り付け支持部１８、１８に装着するには、下記のようにして行えば良い。
図２、図９（ａ）、図１０（ａ）に示したように、初期状態では、ハンドル部材６６が回動用開口部４２の外方向の端部４２ａに当接した状態となっており、コイルバネ５６によって、外方向に付勢されたピボットピン５０、５０が、連結軸用孔３８から外方向に突出した状態となっている（図７参照）。
【００８５】
この状態から、図９（ｂ）、図１０（ｂ）に示したように、指などで、ハンドル部材６６を引っ掛けて、ハンドル部材６６を回動用開口部４２の内側方向の端部４２ｂ方向に回動させる。これによって、図９（ｂ）、図１０（ｃ）に示したように、内筒部材４６が回転して、これにともなって、内筒部材４６のカム用開口部４８のカム斜面６０と、ピボットピン５０のカム突起５３、５３の外側に傾斜したカム斜面５８が当接摺動する。
【００８６】
これにより、ピボットピン５０が、コイルバネ５６に付勢力に抗して、ピボットピン５０、５０が、内側に移動して、ピボットピン５０が、バンド連結具２２に形成された連結軸用孔３８内に収納された状態となる（図１０（ｂ）（ｃ）参照）
この状態で、図２の矢印で示したように、バンド連結具２２のバンド連結具本体２４を、腕時計本体１２の取り付け部１６の一対の取り付け支持部１８、１８の間に嵌合させて、ハンドル部材６６を指から離す。
【００８７】
これにより、コイルバネ５６に付勢力によって、ピボットピン５０が、外方向に移動しする。これによって、内筒部材４６のカム用開口部４８のカム斜面６０と、ピボットピン５０のカム突起５３、５３の外側に傾斜したカム斜面５８が当接摺動する。
【００８８】
そして、図９（ａ）、図１０（ａ）に示したように、ハンドル部材６６が移動して、回動用開口部４２の外方向の端部４２ａに当接した状態となるとともに、コイルバネ５６によって、外方向に付勢されたピボットピン５０、５０が、連結軸用孔３８から外方向に突出して、腕時計本体１２の取り付け部１６の取り付け用孔２０に係合する。これによって、図１に示したように、腕時計本体１２に、二点鎖線で示したようなバンド部材１４が、
バンド連結具２２を介して連結される。
【００８９】
また、バンド連結具２２を腕時計本体１２の取り付け部１６から取り外すためには、上記とは逆の操作を行えばよい。
なお、この実施例のように、図９（ｂ）、図１０（ｃ）に示したような、ピボットピン５０が、バンド連結具２２に形成された連結軸用孔３８内に収納された状態となった場合に、、カム用開口部４８にカム突起５３、５３のストッパ面６２と当接して、カム突起５３、５３が外方向にコイルバネ５６に付勢力によって移動しないようにするためのストッパ面６４が形成されているので、指をハンドル部材から離して、上記の取り付け操作が行えるので便利である。
【００９０】
なお、この場合には、バンド連結具２２を腕時計本体１２の取り付け部１６に対して、取り付け位置に配置した後に、わずかに指でハンドル部材６６を移動させることによって、上記のストッパ面６２、６４との当接が解除されることになる。
【００９１】
また、この実施例では、ハンドル部材６６が移動して、回動用開口部４２の外方向の端部４２ａに当接した状態となった場合に、コイルバネ５６によって、外方向に付勢されたピボットピン５０、５０が、連結軸用孔３８から外方向に突出して、腕時計本体１２の取り付け部１６の取り付け用孔２０に係合するように構成した。
【００９２】
しかしながら、これとは逆に、ハンドル部材６６が移動して、回動用開口部４２の内側方向の端部４２ｂに当接した状態となった場合に、ピボットピン５０、５０が、腕時計本体１２の取り付け部１６の取り付け用孔２０に係合するように構成することも可能である。
【００９３】
なお、この実施例では、カム突起５３は、ハンドル部材６６のカム面と相補的な形状としたが、ハンドル部材６６のカム面と前述のように機械的に係合し得る形状であれば、カム突起５３の形状は、どのような形状であってもかまわない。例えば、カム突起５３は、ハンドル部材６６のカム面と摺接する円柱形状の突起であってもよい。
【００９４】
また、この実施例では、内筒部材４６にカム用開口部４８を設けたが、このカム用開口部４８を、内筒部材４６の内側に設けられた、外方に開口しない溝に換えてもよい。
さらに、この実施例では、１つのハンドル部材６６の移動により、２つのピボットピン５０、５０が移動する構造としたが、図示しないが、ハンドル部材を２つ並列させて、それぞれハンドル部材の移動により、それぞれのピボットピンが移動する構造とすることも可能であることは、当業者であれば容易に理解することができるであろう。
【００９５】
図１５は、本発明のバンドの連結構造の別の実施例を示す斜視図である。
この実施例のバンドの連結構造１０は、図１に示したと基本的には同様な構成であり、同一の構成部材には同一の参照番号を付している。
【００９６】
この実施例のバンドの連結構造１０では、被連結部本体を構成する腕時計本体１２が、バンド連結具２２であって、バンド連結具２２同士を相互に連結するように構成したものである。
【００９７】
すなわち、バンド連結具２２には、ピボットピン５０が設けられたバンド連結具本体２４と反対側の端部２１に、別のバンド連結具２２のピボットピン５０を脱着回転自在に挿着する取り付け用孔２３が形成されている。
【００９８】
これによって、図１５（ａ）に示したように、複数個のバンド連結具２２同士を相互に
連結することができるようになっている。
このような構成としては、例えば、腕時計のバンドの駒部材などに適用することが可能であり、脱着操作が簡単で、しかも、不用意に脱落することがなく、極めて便利である。
【００９９】
以上、本発明の好ましい実施の態様を説明してきたが、本発明はこれに限定されることはなく、例えば、上記実施例では、本発明のバンドの連結構造を腕時計に適用した実施例について説明したが、これ以外にも、例えば、携帯電話、携帯テレビ、携帯ラジオなどの小型情報端末などにおいて、これらの装置本体とバンドとの間、ならびに、バンド連結部材同士を連結するためのバンドの連結構造に適用することができる。
【０１００】
さらに、上記実施例では、一対のピボットピン５０が出没するように構成したが、片方のピボットピン５０のみを出没自在に構成することもできるなど本発明の目的を逸脱しない範囲で種々の変更が可能である。
【図面の簡単な説明】
【０１０１】
【図１】図１は、本発明のバンドの連結構造を腕時計に適用した実施例を示す時計の内側から見た斜視図である。
【図２】図２は、図１のバンドの連結構造の連結具を腕時計の取り付け部に取り付ける前の斜視図である。
【図３】図３は、図１のバンドの連結構造の連結具の連結軸ユニットを装着する状態を説明する斜視図である。
【図４】図４は、図１のバンドの連結構造の連結軸ユニットの斜視図である。
【図５】図５は、図１のバンドの連結構造の連結軸ユニットの斜視図である。
【図６】図６は、図１のバンドの連結構造の連結軸ユニットの製造工程を説明する概略斜視図である。
【図７】図７は、図１のバンドの連結構造の連結軸ユニットの製造工程を説明する概略斜視図である。
【図８】図８は、図１のバンドの連結構造の連結軸ユニットの製造工程を説明する概略斜視図である。
【図９】図９は、図１のバンドの連結構造の連結軸ユニットの概略断面図である。
【図１０】図１０は、図１のバンドの連結構造の連結具の作動を説明する概略斜視図である。
【図１１】図１１は、図１のバンドの連結構造の連結軸ユニットの製造工程を説明する概略斜視図である。
【図１２】図１２は、本発明のバンドの連結構造を腕時計に適用した実施例を示す側面図である。
【図１３】図１３は、本発明のバンドの連結構造を腕時計に適用した実施例を示す側面図である。
【図１４】図１４は、本発明のバンドの連結構造を腕時計に適用した実施例を示す側面図である。
【図１５】図１５は、本発明のバンドの連結構造の別の実施例を示す斜視図である。
【図１６】図１６は、従来のバンドの連結構造の断面図である。
【図１７】図１７は、従来のバンドの連結構造の断面図である。
【図１８】図１８は、従来のバンドの連結構造の断面図である。
【符号の説明】
【０１０２】
１０   バンドの連結構造
１２   腕時計本体
１４   バンド部材
１６   取り付け部
１８   取り付け支持部
２０   取り付け用孔
２１   端部
２２   バンド連結具
２３   取り付け用孔
２４   バンド連結具本体
２４ａ スリット
２６   バンド枢着部
２８   ピン用孔部
３０   端面
３２   当接面
３４   裏面
３６   フランジ部
３８   連結軸用孔
３８ａ 平坦面
３８ｂ 凹部
４０   連結軸ユニット
４０ａ 平坦面
４０ｂ 凸部
４２   回動用開口部
４２ａ 端部
４２ｂ 端部
４４   挿入用スリット
４６   内筒部材
４８   カム用開口部
５０   ピボットピン
５２   基端部
５３   カム突起
５４   コイルバネ装着軸部
５６   コイルバネ
５８   カム斜面
６０   カム斜面
６２   ストッパ面
６４   ストッパ面
６６   ハンドル部材
６８   外筒部材
７０   ハンドル用開口部
７２   案内開口
７４   案内溝
１００ 連結構造
１０２ 時計本体
１０４ 案内溝
１０６ 取り付け用孔
１０８ａ  スリット
１０８ ロックカム
１１０ ピボットピン
１１２ コイルバネ
１１４ 連結具
２００ 連結構造
２０１ コイルバネ
２０２ 時計本体
２０４ 取り付け部
２０６ 取り付け用孔
２０８ ボタン部材
２０８ａ  基端部
２０８ｂ  カム面
２１０ ピボットピン
２１２ コイルバネ
２１４ 連結具
３００ 連結構造
３０２ 時計本体
３０４ 取り付け部
３０６ ピボットピン用溝部
３０８ バンド連結具
３１０ ピボットピン
３１２ コイルバネ
３１４ ハンドル部材
３１６ 係止部
３１８ ストッパ突出部
３２０ 間隙
【図１】
2006271812.tif 000003
【図２】
2006271812.tif 000004
【図３】
2006271812.tif 000005
【図４】
2006271812.tif 000006
【図５】
2006271812.tif 000007
【図６】
2006271812.tif 000008
【図７】
2006271812.tif 000009
【図８】
2006271812.tif 000010
【図９】
2006271812.tif 000011
【図１０】
2006271812.tif 000012
【図１１】
2006271812.tif 000013
【図１２】
2006271812.tif 000014
【図１３】
2006271812.tif 000015
【図１４】
2006271812.tif 000016
【図１５】
2006271812.tif 000017
【図１６】
2006271812.tif 000018
【図１７】
2006271812.tif 000019
【図１８】
2006271812.tif 000020